(57)【要約】【課題】記録容量の大きい記録メディアが装填されている場合に、カメラ本体に電源を投入してからカメラ本体が撮影可能状態となるまでの待ち時間を従来よりも短縮することが出来るデジタルカメラを提供する。【解決手段】本発明に係るデジタルカメラは、装填されている記録メディアの初期化処理及び一連の撮影処理を実行する制御回路を具えており、該制御回路は、カメラ本体に電源が投入されたときに記録メディアの初期化処理を開始し、その後、該初期化処理が終了したか否かに拘わらず画像記録操作の有無を判断する。画像記録操作があったと判断されたときに一連の撮影処理を開始し、その後、露光処理と１或いは複数段の信号処理の内、何れかの処理が終了した時点で、該一連の撮影処理を中断して、記録メディアの初期化処理が終了したか否かを判断し、記録メディアの初期化処理が終了したと判断されたときに一連の撮影処理を再開する。【選択図】図２
2010136261.tif 000002
【特許請求の範囲】
【請求項１】
記録メディアの装填が可能であって、撮像素子と、該撮像素子の撮像面の露光によって得られた画像信号に対して１或いは複数段の信号処理を施し、これによって得られた画像信号を前記記録メディアに記録する一連の撮影処理を実行する制御回路とを具えており、該制御回路は、装填されている記録メディアの初期化処理を行なう記録メディア初期化処理手段と、該記録メディア初期化処理手段の動作の制御及び前記一連の撮影処理を行なう制御処理手段とを具えているデジタルカメラにおいて、該制御処理手段は、
カメラ本体に電源が投入されたとき、前記記録メディア初期化処理手段に記録メディアの初期化処理を開始させる初期化処理開始手段と、
前記記録メディア初期化処理手段に前記記録メディアの初期化処理を開始させた後に、ユーザによる画像記録操作の有無を判断する画像記録操作有無判断手段と、
ユーザによる画像記録操作があったと判断されたときに、前記一連の撮影処理を開始する処理開始手段と、
前記一連の撮影処理が開始された後、露光処理と１或いは複数段の信号処理の内、何れかの処理が終了した時点で、該一連の撮影処理を中断して、前記記録メディア初期化処理手段による前記初期化処理が終了したか否かを判断する初期化処理終了判断手段と、
前記記録メディア初期化処理手段による前記初期化処理が終了したと判断されたときに、前記一連の撮影処理を再開する処理再開手段
とを具えていることを特徴とするデジタルカメラ。
【請求項２】
前記初期化処理終了判断手段は、前記１或いは複数段の信号処理が終了した時点で、前記一連の撮影処理を中断して、前記記録メディア初期化処理手段による前記初期化処理が終了したか否かを判断する請求項１に記載のデジタルカメラ。
【請求項３】
前記記録メディア初期化処理手段は、装填されている記録メディアのメディア情報を認識するメディア情報認識手段を具えており、前記処理再開手段は、
前記記録メディア初期化処理手段による前記初期化処理が終了したと判断されたときに、該初期化処理によって得られたメディア情報に基づいて、前記１或いは複数段の信号処理を経て得られた画像信号をその後の記録処理にて記録メディアに記録することが可能であるか否かを判断する記録可否判断手段と、
前記１或いは複数段の信号処理を経て得られた画像信号をその後の記録処理にて記録メディアに記録することが可能であると判断されたときに、その後の記録処理にて該画像信号を記録メディアに記録する記録処理手段と、
前記１或いは複数段の信号処理を経て得られた画像信号をその後の記録処理にて記録メディアに記録することが不可能であると判断されたときに、その旨を報知する報知手段
とを具えている請求項２に記載のデジタルカメラ。
【請求項４】
更に画像表示装置を具えており、前記記録メディア初期化処理手段は、前記メディア情報認識手段によるメディア情報の認識処理が終了した後に、該メディア情報認識手段によって認識されたメディア情報に基づいて、その後に記録メディアに記録可能な画像の枚数を表わす撮影可能枚数情報を画像表示装置に表示する表示処理手段を具えている請求項３に記載のデジタルカメラ。
【請求項５】
前記制御処理手段は、
前記記録メディア初期化処理手段に前記記録メディアの初期化処理を開始させた後に、該記録メディアに対するアクセスが必要となるユーザ操作の有無を判断するユーザ操作有無判断手段と、
記録メディアに対するアクセスが必要となるユーザ操作があったと判断されたときに、前記記録メディア初期化処理手段による前記初期化処理が終了したか否かを判断する第２初期化処理終了判断手段と、
前記記録メディア初期化処理手段による前記初期化処理が終了したと判断されたときに、前記記録メディアに対して前記ユーザ操作に応じたアクセス処理を実行するアクセス処理実行手段
とを具えている請求項１乃至請求項４の何れかに記載のデジタルカメラ。
【発明の詳細な説明】
【技術分野】
【０００１】
本発明は、記録メディアの装填が可能であって、カメラ本体に電源が投入されたときに記録メディアの初期化処理を実行するデジタルカメラに関するものである。
【背景技術】
【０００２】
従来のデジタルカメラにおいては、カメラ本体に電源が投入されたとき、装填されている記録メディアに対するデータの書込み及び該記録メディアからのデータの読出しを可能とすべく、該記録メディアの空き容量情報等のメディア情報の認識処理を含む記録メディアの初期化処理が実行される。この初期化処理が完了した後、該処理によって得られたメディア情報に含まれる空き容量情報に基づいて、その後に記録メディアに記録可能な画像の枚数(以下、撮影可能枚数という)が算出され、該枚数を表わす撮影可能枚数情報がディスプレイに表示される。その後、ユーザによりシャッターボタンが押下されると、ＣＣＤ等からなる撮像素子から得られた画像信号に所定の画像処理を施した後、圧縮処理を施し、これによって得られた圧縮画像データから画像ファイルを作成して記録メディアに記録する一連の撮影処理が実行される。
【０００３】
尚、カメラ本体に電源が投入されたときに、先ずメモリカードからメモリカード管理情報のみを取得し、シャッターボタンが押下された場合には撮影画像データを作成する処理を実行した後にメモリカードの初期化処理を実行するデジタルカメラが提案されている(特許文献１参照)。
【特許文献１】特開２００４−２３５４０号公報
【発明の開示】
【発明が解決しようとする課題】
【０００４】
しかしながら、従来のデジタルカメラにおいては、記録メディアの初期化処理が完了し、該初期化処理によって得られたメディア情報に基づいて撮影可能枚数が算出された後にシャッターボタンの押下操作の有無が判断されていたため、記録容量の大きい記録メディアが装填されている場合には、記録メディアの初期化処理に長い時間がかかり、その結果、カメラ本体に電源を投入してからカメラ本体がシャッターボタンの押下操作に応じて前記一連の撮影処理が実行される撮影可能状態となるまでに長い待ち時間が生じる問題があった。
そこで本発明の目的は、記録容量の大きい記録メディアが装填されている場合に、カメラ本体に電源を投入してからカメラ本体が撮影可能状態となるまでの待ち時間を従来よりも短縮することが出来るデジタルカメラを提供することである。
【課題を解決するための手段】
【０００５】
本発明に係るデジタルカメラは、記録メディアの装填が可能であって、撮像素子と、該撮像素子の撮像面の露光によって得られた画像信号に対して１或いは複数段の信号処理を施し、これによって得られた画像信号を前記記録メディアに記録する一連の撮影処理を実行する制御回路とを具えており、該制御回路は、装填されている記録メディアの初期化処理を行なう記録メディア初期化処理手段と、該記録メディア初期化処理手段の動作の制御及び前記一連の撮影処理を行なう制御処理手段とを具えている。そして、該制御処理手段は、
カメラ本体に電源が投入されたとき、前記記録メディア初期化処理手段に記録メディアの初期化処理を開始させる初期化処理開始手段と、
前記記録メディア初期化処理手段に前記記録メディアの初期化処理を開始させた後に、ユーザによる画像記録操作の有無を判断する画像記録操作有無判断手段と、
ユーザによる画像記録操作があったと判断されたときに、前記一連の撮影処理を開始する処理開始手段と、
前記一連の撮影処理が開始された後、露光処理と１或いは複数段の信号処理の内、何れかの処理が終了した時点で、該一連の撮影処理を中断して、前記記録メディア初期化処理手段による前記初期化処理が終了したか否かを判断する初期化処理終了判断手段と、
前記記録メディア初期化処理手段による前記初期化処理が終了したと判断されたときに、前記一連の撮影処理を再開する処理再開手段
とを具えている。
【０００６】
上記本発明に係るデジタルカメラにおいては、カメラ本体に電源が投入されたとき、制御処理手段は、記録メディア初期化処理手段に記録メディアの初期化処理を開始させた後、該初期化処理の終了を待つことなく、ユーザによる画像記録操作の有無を判断する。ユーザによりシャッターボタンの押下操作等の画像記録操作が行なわれたときには、制御処理手段は、一連の撮影処理を開始した後、露光処理と１或いは複数段の信号処理の何れかの処理が終了した時点で、該一連の撮影処理を中断して、記録メディアの初期化処理が終了したか否かを判断する。ここで、記録メディアの初期化処理が既に終了している場合には、速やかに前記一連の撮影処理を再開し、記録メディアの初期化処理が終了していない場合には、該初期化処理の終了を待って前記一連の撮影処理を再開する。この様にして、ユーザによる画像記録操作に応じて撮像素子から得られた画像信号が、１或いは複数段の信号処理を受けた後、記録メディアに記録されることになる。
上記本発明に係るデジタルカメラにおいては、上述の如く、カメラ本体に電源が投入されたとき、制御処理手段は、記録メディアの初期化処理を開始させた後、該初期化処理の終了を待つことなくユーザによる画像記録操作の有無を判断するので、記録容量の大きい記録メディアが装填されている場合であっても、カメラ本体は電源が投入されてから短時間で撮影可能状態に移行することになる。
【０００７】
具体的構成において、前記初期化処理終了判断手段は、前記１或いは複数段の信号処理が終了した時点で、前記一連の撮影処理を中断して、前記記録メディア初期化処理手段による前記初期化処理が終了したか否かを判断する。該具体的構成によれば、一連の撮影処理が中断されてから再開されるまでの待ち時間を最短とし、或いは略ゼロとすることが出来る。
【０００８】
又、具体的構成において、前記記録メディア初期化処理手段は、装填されている記録メディアのメディア情報を認識するメディア情報認識手段を具えており、前記処理再開手段は、
前記記録メディア初期化処理手段による前記初期化処理が終了したと判断されたときに、該初期化処理によって得られたメディア情報に基づいて、前記１或いは複数段の信号処理を経て得られた画像信号をその後の記録処理にて記録メディアに記録することが可能であるか否かを判断する記録可否判断手段と、
前記１或いは複数段の信号処理を経て得られた画像信号をその後の記録処理にて記録メディアに記録することが可能であると判断されたときに、その後の記録処理にて該画像信号を記録メディアに記録する記録処理手段と、
前記１或いは複数段の信号処理を経て得られた画像信号をその後の記録処理にて記録メディアに記録することが不可能であると判断されたときに、その旨を報知する報知手段
とを具えている。
【０００９】
上記具体的構成においては、記録メディア初期化処理手段によって、装填されている記録メディアの空き容量情報を含むメディア情報が認識される。そして、制御処理手段によって、記録メディア初期化処理手段による前記初期化処理が終了したと判断されたときに、該メディア情報に基づいて、１或いは複数段の信号処理を経て得られた画像信号をその後の記録処理にて記録メディアに記録することが可能であるか否かが判断され、記録が可能である場合には該画像信号が記録メディアに記録される一方、記録が不可能である場合には、画像表示装置に対する表示や音響によって、その旨が報知される。
【００１０】
更に具体的構成において、画像表示装置を具えており、前記記録メディア初期化処理手段は、前記メディア情報認識手段によるメディア情報の認識処理が終了した後に、該メディア情報認識手段によって認識されたメディア情報に基づいて、その後に記録メディアに記録可能な画像の枚数を表わす撮影可能枚数情報を画像表示装置に表示する表示処理手段を具えている。従って、ユーザは画像表示装置を見れば撮影可能枚数を認識することが出来、撮影可能枚数を認識した上で、その後の画像記録操作を行なうことが出来る。
【００１１】
更に又、具体的構成において、前記制御処理手段は、
前記記録メディア初期化処理手段に前記記録メディアの初期化処理を開始させた後に、該記録メディアに対するアクセスが必要となるユーザ操作の有無を判断するユーザ操作有無判断手段と、
記録メディアに対するアクセスが必要となるユーザ操作があったと判断されたときに、前記記録メディア初期化処理手段による前記初期化処理が終了したか否かを判断する第２初期化処理終了判断手段と、
前記記録メディア初期化処理手段による前記初期化処理が終了したと判断されたときに、前記記録メディアに対して前記ユーザ操作に応じたアクセス処理を実行するアクセス処理実行手段
とを具えている。
【００１２】
上記具体的構成においては、記録メディアの初期化処理中に記録メディアに対するアクセスが必要となるユーザ操作、例えば、記録メディアに記録されているデータを再生するための操作があったとき、制御処理手段は、記録メディアの初期化処理の終了を待って、該ユーザ操作に応じたアクセス処理を実行する。
【発明の効果】
【００１３】
本発明に係るデジタルカメラによれば、記録容量の大きい記録メディアが装填されている場合に、カメラ本体に電源を投入してからカメラ本体が撮影可能状態となるまでの待ち時間を従来よりも短縮することが出来る。
【発明を実施するための最良の形態】
【００１４】
以下、本発明の実施の形態につき、図面に沿って具体的に説明する。
本発明に係るデジタルカメラは、図１に示す如く、ＣＣＤ等からなる撮像素子を具えた撮像部(１)と、撮像部(１)から得られる画像信号にＡ／Ｄ変換処理を施すアナログフロントエンド回路(２)とを具えており、該アナログフロントエンド回路(２)には、マイクロコンピュータからなる全体制御回路(３)が接続されている。又、撮像部(１)には、撮像素子の露光動作を制御する露光制御回路(４)が接続されており、該露光制御回路(４)の動作は前記全体制御回路(３)によって制御されている。
前記全体制御回路(３)には、シャッターボタンを含む複数の操作ボタンを具えた操作ボタン群(５)と、画像処理時に画像データを一時的に格納するためのメモリ(６)と、撮影によって得られた画像を表示するためのディスプレイ(７)と、画像データを記録するための記録メディアのメディアスロット(８)とが接続されている。尚、前記メモリ(６)は、例えば揮発性メモリから構成される。
【００１５】
上記デジタルカメラにおいては、撮像部(１)から得られる画像信号がアナログフロントエンド回路(２)に供給されてＡ／Ｄ変換処理を受け、これによって得られるデジタルの画像データが全体制御回路(３)を経てメモリ(６)に一旦格納される。その後、該画像データは、全体制御回路(３)により読み出されて所定の画像処理を受けた後、ディスプレイ(７)に出力される。この結果、撮像部(１)によって撮影された画像(スルー画)がリアルタイムでディスプレイ(７)に表示されることになる。
【００１６】
上述の如くスルー画がディスプレイ(７)に表示されている状態でシャッターボタンが押下されると、その時点で撮像部(１)の撮像面の露光が行なわれ、これによって撮像部(１)から得られる画像信号がアナログフロントエンド回路(２)に供給されてＡ／Ｄ変換処理を受ける。アナログフロントエンド回路(２)から得られるデジタルの画像データは、全体制御回路(３)を経てメモリ(６)に一旦格納される。該画像データは、全体制御回路(３)に読み出されて、所定の画像処理及び圧縮処理を順次受け、これによって得られる圧縮画像データから画像ファイルが作成される。作成された画像ファイルは、メモリ(６)に一旦格納された後、メディアスロット(８)に装填されている記録メディア(図示省略)に記録される。この様にして、シャッターボタンの押下操作に応じて、露光処理、所定の画像処理、圧縮処理、ファイル作成処理及び記録メディアに対する記録処理からなる一連の撮影処理が実行されることになる。
【００１７】
図２乃至図４は、カメラ本体に電源が投入されている状態で上記全体制御回路(３)によって実行されるメインタスク処理を表わしている。尚、全体制御回路(３)は、後述の如く、メディアスロット(８)に装填されている記録メディアに対するデータの書込み及び該記録メディアからのデータの読出しを可能とするための記録メディアの初期化処理をも実行するものであって、該全体制御回路(３)の内蔵メモリには、記録メディアの初期化処理が完了したか否かを表わす記録メディア初期化完了フラグの書込み領域が設けられている。
【００１８】
カメラ本体に電源が投入されると、先ず図２のステップＳ１にて、記録メディア初期化完了フラグの値を記録メディアの初期化処理が完了していないことを表わす“０”の値に設定し、次にステップＳ２では、後述の記録メディア初期化タスクを起動した後、ステップＳ３では、従来と同じレンズの初期化処理及び音声ＩＣの初期化処理を実行し、続いてステップＳ４では、ディスプレイの初期化処理を実行する。このディスプレイ初期化処理においては、従来と同様に、撮像素子によって撮影されたスルー画の表示を開始する。又、記録メディア初期化完了フラグの値が記録メディアの初期化処理が完了していることを表わす“１”であるか否かを判断し、記録メディアの初期化処理が完了している場合には、オートフォーカス機能のオン／オフ情報等のカメラ設定情報をディスプレイに表示すると共に、記録メディアの初期化処理によって得られたメディア情報に含まれる空き容量情報に基づき撮影可能枚数を算出して、撮影可能枚数情報をディスプレイに表示する。記録メディアの初期化処理が完了していない場合には、カメラ設定情報のみをディスプレイに表示する。
【００１９】
その後、ステップＳ５では、何らかのユーザ操作があったか否かを判断し、ノーと判断された場合はステップＳ５にて同じ判断を繰り返す一方、イエスと判断された場合にはステップＳ６に移行して、前記ユーザ操作がシャッターボタンの押下操作であるか否かを判断する。
【００２０】
シャッターボタンが押下されてステップＳ６にてイエスと判断された場合は、ステップＳ７に移行して、ＡＥ(Automatic  Exposure)処理及びＡＦ(Automatic  Focus)処理を実行した後、ステップＳ８にてシャッターボタンが全押し状態となったか否かを判断し、ノーと判断された場合は、ステップＳ９にてシャッターボタンの押下状態が解除されたか否かを判断し、イエスと判断された場合は、ステップＳ５に戻って、何らかのユーザ操作があったか否かの判断を行なう。一方、ステップＳ９にてノーと判断された場合は、ステップＳ８に戻って、シャッターボタンが全押し状態となったか否かの判断を行なう。
【００２１】
シャッターボタンが全押し状態となってステップＳ８にてイエスと判断された場合には、ステップＳ１０に移行して、上記一連の撮影処理を構成する露光処理、所定の画像処理、圧縮処理及びファイル作成処理を順次実行し、これによって得られた画像ファイルをメモリに格納する。続いて、図３のステップＳ１１では、記録メディア初期化完了フラグの値が“１”であるかを判断し、ノーと判断された場合は、ステップＳ１１にて同じ判断を繰り返す。
【００２２】
記録メディア初期化完了フラグの値が“１”であってステップＳ１１にてイエスと判断された場合には、ステップＳ１２に移行して、記録メディア初期化処理によって得られたメディア情報に含まれる空き容量情報と上記ステップＳ１０にてメモリに格納された画像ファイルの容量とを比較して該画像ファイルを記録メディアに記録可能であるか否かを判断し、イエスと判断された場合にはステップＳ１３にて、該画像ファイルを記録メディアに記録して、図２のステップＳ５に戻り、再びユーザ操作の有無を監視する。一方、図３のステップＳ１２にて前記画像ファイルを記録メディアに記録できないと判断された場合には、ステップＳ１４にてその旨をディスプレイに表示して、図２のステップＳ５に戻り、再びユーザ操作の有無を監視する。
【００２３】
シャッターボタンの押下操作以外のユーザ操作が行なわれてステップＳ６にてノーと判断された場合には、図４のステップＳ１５に移行して、該ユーザ操作が、記録メディアに記録されている画像ファイルのファイル情報等を表示するためのメニューボタン押下操作、記録メディアに記録されている画像データを再生するための再生ボタン押下操作、ＵＳＢケーブルの挿入操作等、記録メディアに対するアクセスが必要となる操作であるか否かを判断する。ここでノーと判断された場合には、ステップＳ１７にて前記ユーザ操作に応じた処理を実行して、図２のステップＳ５に戻り、再びユーザ操作の有無を監視する。
シャッターボタンの押下操作以外のユーザ操作が記録メディアに対するアクセスが必要となる操作であって図４のステップＳ１５にてイエスと判断された場合には、ステップＳ１６に移行して、記録メディア初期化完了フラグの値が“１”であるか否かを判断し、ノーと判断された場合は、ステップＳ１６にて同じ判断を繰り返す。記録メディア初期化完了フラグの値が“１”であってステップＳ１６にてイエスと判断された場合には、ステップＳ１７にて、前記ユーザ操作に応じた処理を実行して、図２のステップＳ５に戻り、再びユーザ操作の有無を監視する。
【００２４】
上記手続きによれば、カメラ本体に電源が投入されたとき、記録メディアの初期化処理が開始された後、レンズの初期化処理、音声ＩＣの初期化処理、及びディスプレイの初期化処理が実行される。ディスプレイの初期化処理においては、メディアスロットに装填されている記録メディアの記録容量が小さく、既に記録メディアの初期化処理が完了している場合には、スルー画に重畳させてカメラ設定情報及び撮影可能枚数情報がディスプレイに表示され、記録メディアの記録容量が大きく、記録メディアの初期化処理が完了していない場合には、スルー画に重畳させてカメラ設定情報のみがディスプレイに表示される。その後、記録メディアの初期化処理が完了しているか否かに拘わらず、ユーザ操作の有無が監視される。
シャッターボタンの押下操作が行なわれた場合には、上記一連の撮影処理が開始され、ファイル作成処理が終了した時点で、記録メディアの初期化処理が完了したか否かが判断される。ここで、記録メディアの初期化処理が既に完了している場合には、速やかに一連の撮影処理が再開され、記録メディアの初期化処理が完了していない場合には、該初期化処理が完了した後に一連の撮影処理が再開される。この結果、シャッターボタンの押下操作に応じて撮像部によって撮影された画像の画像データからなる画像ファイルが記録メディアに記録されることになる。但し、記録メディアの空き容量が少なく、ファイル作成処理によって得られた画像ファイルが記録メディアに記録できない場合には、その旨がディスプレイに表示されることになる。
又、記録メディアに対するアクセスが必要となる操作が行なわれた場合には、該操作が行なわれたと判断された時点で、記録メディアの初期化処理が完了したか否かが判断される。ここで、記録メディアの初期化処理が既に完了している場合には、速やかに該操作に応じた処理が実行され、記録メディアの初期化処理が完了していない場合には、該初期化処理が完了した後に該操作に応じた処理が実行されることになる。
【００２５】
図５は、上記全体制御回路(３)によって実行される記録メディア初期化タスク処理を表わしており、該タスク処理と図２乃至図４に示すメインタスク処理とは、多重処理により同時に実行される。
記録メディア初期化タスク処理においては、先ずステップＳ２１にて、記録メディアに対するデータの書込み及び該記録メディアからのデータの読出しを可能とするために必要な所定の処理、即ちＦＡＴ(File  Allocation  Tables)情報の取得処理やメディア情報の認識処理を実行し、ステップＳ２２では、前記所定の処理が終了したか否かを判断し、ノーと判断された場合にはステップＳ２１に戻る。
その後、前記所定の処理が終了してステップＳ２２にてイエスと判断された場合には、ステップＳ２３に移行して、記録メディア初期化完了フラグの値を“１”に設定する。次にステップＳ２４では、撮影可能枚数情報がディスプレイに既に表示されているか否かを判断し、ノーと判断された場合には、ステップＳ２５にて、メディア情報の認識処理によって認識されたメディア情報に含まれる空き容量情報に基づき撮影可能枚数を算出して、撮影可能枚数情報をディスプレイに表示し、手続きを終了する一方、ステップＳ２４にてイエスと判断された場合には、ステップＳ２５を迂回して、手続きを終了する。
【００２６】
上記手続きによれば、ＦＡＴ情報の取得処理やメディア情報の認識処理を含む所定の処理が終了したときに、記録メディア初期化完了フラグの値が“１”に設定されることになる。又、図２のステップＳ４に示すディスプレイの初期化処理において撮影可能枚数情報がディスプレイに表示されていない場合には、撮影可能枚数情報がディスプレイに表示されることになる。
【００２７】
本発明に係るデジタルカメラにおいては、カメラ本体に電源が投入されたとき、記録メディアの初期化処理が完了したか否かに拘わらずシャッターボタンの押下操作の有無が判断されるので、記録容量の大きい記録メディアが装填されている場合であっても、カメラ本体は電源が投入されてから短時間で撮影可能状態に移行することになる。
【００２８】
尚、本発明の各部構成は上記実施の形態に限らず、特許請求の範囲に記載の技術的範囲内で種々の変形が可能である。
例えば上記実施の形態においては、図２及び図３に示す如く、シャッターボタンの押下操作に応じて一連の撮影処理を開始した後、ファイル作成処理が終了した時点で、記録メディアの初期化処理が完了したか否かを判断しているが、露光処理が終了した時点で判断を行なう構成、所定の画像処理が終了した時点で判断を行なう構成、或いは圧縮処理が終了した時点で判断を行なう構成を採用することも可能である。
又、記録メディア初期化完了フラグは、全体制御回路を構成するＣＰＵ内のレジスタに格納することも可能である。
【図面の簡単な説明】
【００２９】
【図１】本発明に係るデジタルカメラの構成を示すブロック図である。
【図２】上記デジタルカメラにおいて実行されるメインタスク処理を示すフローチャートである。
【図３】図２の第１の分図である。
【図４】図２の第２の分図である。
【図５】上記デジタルカメラにおいて実行される記録メディア初期化タスク処理を示すフローチャートである。
【符号の説明】
【００３０】
(１)  撮像部
(２)  アナログフロントエンド回路
(３)  全体制御回路
(４)  露光制御回路
(５)  操作ボタン群
(６)  メモリ
(７)  ディスプレイ
(８)  メディアスロット
【図１】
2010136261.tif 000003
【図２】
2010136261.tif 000004
【図３】
2010136261.tif 000005
【図４】
2010136261.tif 000006
【図５】
2010136261.tif 000007